(57)【要約】【課題】どのような手洗器に対しても用いることができる汎用性があり、且つ、内部に配置される配管等の設備機器が視認されることを防止しつつ、これら設備機器のメンテナンスを容易に行える配管カバーを提供すること。【解決手段】手洗器６０の下方に配置される、配管７０を含む設備機器を覆うための配管カバー１であり、カバー本体１０と、カバー本体１０の上面を覆う、カバー本体１０とは別体である蓋部２０と、を有する。また、蓋部２０、板状であり且つ両面が意匠面として構成されることが好ましい。【選択図】図１
2015101918.tif 000002
【特許請求の範囲】
【請求項１】
手洗器の下方に配置される、配管を含む設備機器を覆うための配管カバーであって、
カバー本体と、
前記カバー本体の上面を覆う、前記カバー本体とは別体である蓋部と、を有する配管カバー。
【請求項２】
前記蓋部は、板状であり且つ両面が意匠面として構成される請求項１記載の配管カバー。
【請求項３】
前記カバー本体を設置面に固定するための取付金具を更に有し、
前記取付金具は、前記蓋部を載置するための水平面部を備える請求項１又は２記載の配管カバー。
【請求項４】
手洗器と、
前記手洗器の下部から間隔を空けて設置される請求項１から３のいずれか記載の配管カバーと、を有する手洗器ユニット。
【発明の詳細な説明】
【技術分野】
【０００１】
本発明は、配管カバー及びそれを有する手洗器ユニットに関する。
【背景技術】
【０００２】
従来、手洗器の下部に接続される配管等の設備機器を覆う配管カバーが用いられている。配管カバーとしては、手洗器の下部と間隔を開けずに設置される配管カバーが知られている（例えば、特許文献１参照）。また、手洗器の下部と間隔を開けて設置される配管カバーも知られている（例えば、特許文献２参照）。これらの配管カバーを用いることで、配管カバーの上部から、配管カバーの内部が視認されることや、配管カバー内に配置される配管等の設備機器に触れられることを防ぐことができる。
【先行技術文献】
【特許文献】
【０００３】
【特許文献１】特開２０１０−８４４４４号公報
【特許文献２】特開２００４−９２２３２号公報
【発明の概要】
【発明が解決しようとする課題】
【０００４】
ところで、手洗器の下部と間隔を開けずに設置される配管カバーは、上部の形状を手洗器の下部の形状に合わせる必要があり、汎用性がない。また、このような配管カバーを用いた場合、配管カバーの内部に位置する配管等をメンテナンスする際には、配管カバー全体を取り外す必要がある。
【０００５】
手洗器の下部と間隔を開けて設置される配管カバーは、上部の形状を手洗器の下部の形状に合わせる必要はない。しかし、このような配管カバーは、側面部分と一体化された部材で上部まで覆われており、手洗器の配管の位置によっては、配管カバーの上部に空ける、配管が通るための孔の位置を変更する必要があるので、やはり汎用性がない。また、このような配管カバーを用いた場合にも、配管カバーの内部に位置する配管等をメンテナンスする際には、配管カバー全体を取り外す必要がある。
【０００６】
本発明は上記に鑑みてなされたものであり、その目的は、どのような手洗器に対しても用いることができる汎用性があり、且つ、内部に配置される配管等の設備機器が視認されることを防止しつつ、これら設備機器のメンテナンスを容易に行える配管カバーを提供することにある。
【課題を解決するための手段】
【０００７】
（１）上記目的を達成するため本発明は、手洗器（例えば、後述の手洗器６０）の下方に配置される、配管（例えば、後述の配管７０）を含む設備機器を覆うための配管カバー（例えば、後述の配管カバー１）であり、カバー本体（例えば、後述のカバー本体１０）と、前記カバー本体の上面を覆う、前記カバー本体とは別体である蓋部（例えば、後述の蓋部２０）と、を有する配管カバーを提供する。
【０００８】
（１）の発明では、内部が視認されることを防ぐことが可能な配管カバーにおいて、カバー本体と蓋部とを別体として構成する。これにより、蓋部を取り外すだけで配管等の設備機器のメンテナンスや配管カバー内の清掃を行うことができる。従って、本発明に係る配管カバーを用いれば、内部に配置される配管等の設備機器が視認されることを防止できる上に、これら設備機器のメンテナンスや清掃が容易に行える。また、本発明に係る配管カバー１は、手洗器のボウルの形状を問わず使用することができる。更に、本発明に係る配管カバーは、蓋部における配管の通過する位置の異なる複数種類の手洗器に対して、蓋部のみを交換することで、共通して用いることができる。従って、本発明に係る配管カバーは、どのような手洗器に対しても用いることができる汎用性がある。
【０００９】
（２）前記蓋部は、板状であり且つ両面が意匠面として構成されることが好ましい。
【００１０】
（２）の発明では、板状の蓋部の両面が意匠面として構成される。ところで、所定の手洗器の下方における配管等の設備機器の配置によっては、端部付近にガイド溝が形成されているような非対称な形状の蓋部を有する配管カバーが用いられる場合がある。この発明によれば蓋部の両面は意匠面として構成されているので、このような所定の手洗器に対して正面側から見て左右対称な構造を有する、例えば特注品の手洗器に、所定の手洗器に使用する配管カバーを、蓋部を裏返すことで適用することができる。つまり、互いに正面側から見て左右対称な構造である一対の手洗器に用いる配管カバー（蓋部）を共通化することができ、配管カバーの汎用性がより高くなる。また、仮に、左右対称な構造の蓋部であれば、両面が意匠面として構成されていることで、一方の面が汚染された場合に他方の面を上向きにして使用することが可能である。
【００１１】
（３）前記カバー本体を設置面に固定するための取付金具（例えば、後述の上部取付金具３０）を更に有し、前記取付金具は、前記蓋部を載置するための水平面部（例えば、後述の上部取付金具水平面部３３，３３）を備えることが好ましい。
【００１２】
（３）の発明では、蓋部を載置するための水平面部を備えるカバー本体の取付金具を更に有するものとする。これにより、水平面部に蓋部を載置することができるので、蓋部の取り付け作業及び取り外し作業が容易になる。また、カバー本体を設置面に固定するための取付金具に蓋部２０も固定することができるので、配管カバーの部品数を減らすことができる。
【００１３】
（４）また、本発明では、手洗器（例えば、後述の手洗器６０）と、前記手洗器の下部から間隔を空けて設置される前記配管カバーと、を有する手洗器ユニット（例えば、後述の手洗器ユニット１００）を提供する。
【００１４】
（４）の発明により、配管カバーの内部に配置される配管７等の設備機器が視認されることを防止できる上に、これら設備機器のメンテナンスや清掃を容易に行える、手洗器及び配管カバーを含む手洗器ユニットを提供できる。
【発明の効果】
【００１５】
本発明によれば、どのような手洗器に対しても用いることができる汎用性があり、且つ、内部に配置される配管等の設備機器が視認されることを防止しつつ、これら設備機器のメンテナンスを容易に行える配管カバーを提供することができる。
【図面の簡単な説明】
【００１６】
【図１】本発明の一実施形態に係る配管カバーを有する手洗器ユニットの斜視図である。
【図２】上記実施形態に係る配管カバーを有する手洗器ユニットの正面図である。
【図３】上記実施形態に係る配管カバーを有する手洗器ユニットの断面図であり、図２のＡ−Ａ線断面図である。
【図４】上記実施形態に係る配管カバーの分解斜視図である。
【図５】上記実施形態に係る配管カバーの取付方法について示す図であり、カバー本体を設置する方法について示す図である。
【図６】上記実施形態に係る配管カバーの取付方法について示す図であり、蓋部を設置する方法について示す図である。
【発明を実施するための形態】
【００１７】
以下、本発明の一実施形態について、図面を参照しながら詳細に説明する。
まず、図１〜３により、本実施形態に係る配管カバー１の使用状態について説明する。図１は、本発明の一実施形態に係る配管カバー１を有する手洗器ユニット１００を示す斜視図である。図２は、手洗器ユニット１００の正面図である。図３は、手洗器ユニット１００の断面図であって、図２のＡ−Ａ線断面図である。手洗器ユニット１００の設置面は、壁面である。
図１〜３に示すように、手洗器ユニット１００は、手洗器６０と、配管カバー１と、を有する。
【００１８】
図１に示すように、手洗器６０は、上面側にボウル部６１ａの形成されたボウル６１と、ボウル部６１ａの底面の中央に形成される排水口６１ｂに対して開閉可能に配置されるポップアップ弁６２と、ボウル６１の上面のボウル部６１ａの近傍に配置される水栓金具６３と、を有する。
【００１９】
水栓金具６３は、先端側に形成される吐水口６３ａと、基端側に配置される操作レバー６３ｂと、を有する。図２に示すように、操作レバー６３ｂは、ボウル６１の下方まで延びる棒状部材であり、上下方向に進退させることで、図示しない伝達部材を通してポップアップ弁６２を操作して、排水口６１ｂを開閉することができる。
【００２０】
図３に示すように、手洗器ユニット１００は、更に、手洗器６０の下方に配置され、且つ、ボウル６１の排水口６１ｂに接続される配管７０を含む設備機器を有する。配管７０は、上流側が排水口６１ｂに接続される接続管７１と、上流側が接続管７１に接続され且つＵ字型に屈曲することで封水を溜めることが可能なトラップ管７２と、上流側がＬ字型に屈曲し且つトラップ管７２の下流側に接続された水平配管７３と、を有する。水平配管７３は、壁や床の内部に設けられる図示しない排水管に接続される。
【００２１】
図１〜３に示すように、配管カバー１は、ボウル６１の下方に配置され、配管７０を覆う。
【００２２】
以上説明した手洗器ユニット１００は、次のように使用される。
まず、水栓金具６３に、図示しない給水管から水（あるいは湯）が供給される。水は、吐水口６３ａから吐出され、手洗や洗顔等に使用された後、ボウル部６１ａに落下する。ボウル部６１ａに落下した水は、排水口６１ｂから、配管７０を介して図示しない排水管に排出される。
【００２３】
続いて、図４も参照しつつ配管カバー１について詳細に説明する。図４は、配管カバー１の分解斜視図である。配管カバー１は、カバー本体１０と、蓋部２０と、上部取付金具３０と、一対の下部取付金具４０，４０と、有する。
【００２４】
カバー本体１０は、緩やかに湾曲した板状の正面部１１と、正面部１１の幅方向（図２の左右方向）の両端部から屈曲して延出した側面部１２，１２と、を有する、平面視においてＵ字形状の部材である。側面部１２，１２は、上端部近傍に形成されたネジ穴１２ａ，１２ａと、下端部に形成された溝１２ｂ，１２ｂと、を有する。
【００２５】
蓋部２０は、カバー本体１０の上方に配置され、カバー本体１０の上面を覆う。蓋部２０は、周縁の形状がカバー本体１０の平面視の形状に対応した板状の部材である。蓋部２０は、カバー本体１０とは別体である。蓋部２０は、両面が意匠面として構成されており、裏返して配置することも可能である。
【００２６】
蓋部２０は、配管カバー１（手洗器ユニット１００）の背面側（設置面側）の端部における配管カバー１の幅方向（図２及び図３におけるＸ方向）の中心部から、配管カバー１の奥行き方向（図３及び図４におけるＹ方向）に延びて形成されたガイド溝２１を有する。また、蓋部２０は、配管カバー１の背面側の端部のうちＸ方向における中心よりも一方側（図２の右側）に寄った位置から、Ｙ方向に延びて形成されたガイド溝２２と、を有する。更に、蓋部２０は、Ｘ方向における両端部近傍に形成されたネジ穴２０ａ，２０ａを有する。
【００２７】
上部取付金具３０は、配管カバー１の背面側に配置される板状の上部取付金具本体部３１と、上部取付金具本体部３１のＸ方向の両端部から屈曲して延出した上部取付金具延出部３２，３２と、上部取付金具延出部３２の上側端部から内側に屈曲して延出した上部取付金具水平面部３３，３３と、を備える。上部取付金具３０のＸ方向の長さは、カバー本体１０の内側のＸ方向の長さよりも若干短くなっている。
【００２８】
上部取付金具本体部３１は、Ｘ方向に並んで形成された４つのネジ穴３１ａを有する。上部取付金具延出部３２，３２はそれぞれ、配管カバー１の背面側の端部付近に形成されたネジ穴３２ａを有する。上部取付金具水平面部３３はそれぞれ、配管カバー１の正面側の端部付近に形成されたネジ穴３３ａを有する。
【００２９】
一対の下部取付金具４０はそれぞれ、配管カバー１の背面側に配置される板状の下部取付金具本体部４１と、下部取付金具本体部４１のＸ方向の端部から屈曲して延出した下部取付金具延出部４２と、を備える。
下部取付金具本体部４１はそれぞれ、Ｘ方向に並んで形成されたネジ穴４１ａ，４１ａを有する。下部取付金具延出部４２，４２は、配管カバー１の高さ方向（図２〜図４におけるＺ方向）に並んで形成されたネジ穴４２ａ，４２ａを有する。
【００３０】
続いて、図５及び図６も参照しながら配管カバー１の設置方法について説明する。図５は、カバー本体１０を設置する方法について示す図であり、図６は、蓋部２０を設置する方法について示す図である。
まず、上部取付金具３０及び下部取付金具４０，４０を設置面に固定する。上部取付金具３０は、４つのネジ穴３１ａにそれぞれ挿入された４つのネジ３１ｂによって設置面に固定する（図４参照）。
一対の下部取付金具４０は、上部取付金具３０の固定される箇所よりも下方において、それぞれ２つのネジ穴４１ａに挿入された２つのネジ４１ｂによって設置面に固定される。一対の下部取付金具４０は、下部取付金具延出部４２同士のＸ方向における距離が、カバー本体１０の内側のＸ方向の長さよりも若干短くなるように、設置面に固定される。
【００３１】
続いて、一対の下部取付金具４０それぞれのＺ方向における下側に位置するネジ穴４２ａにネジ４２ｂを螺合する。そして、カバー本体１０の２つの溝１２ｂを、ネジ穴４２ａに螺合したネジ４２ｂの首部分にそれぞれ嵌め合わせる。カバー本体１０は、２つのネジ穴１２ａを、上部取付金具延出部３２のそれぞれネジ穴３２ａと重ね合わせて、ネジ３２ｂを用いて固定する（図４及び図５参照）。
【００３２】
続いて、蓋部２０を上部取付金具水平面部３３，３３に載置する。その際、ガイド溝２１には、配管７０が挿入され、ガイド溝２２には、操作レバー６３ｂが挿入される。そして、蓋部２０の２つのネジ穴２０ａをそれぞれ上部取付金具水平面部３３のネジ穴３３ａと重ね合わせて、２つのネジ２０ｂを用いて固定する（図４及び図６参照）。
【００３３】
本実施形態によれば、以下の効果が奏される。
本実施形態では、内部が視認されることを防ぐことが可能な配管カバー１において、カバー本体１０と蓋部２０とを別体として構成した。
これにより、蓋部２０を取り外すだけで配管７０等の設備機器のメンテナンスや配管カバー１内の清掃を行うことができる。従って、本実施形態に係る配管カバー１を用いれば、内部に配置される配管７０等の設備機器が視認されることを防止できる上に、これら設備機器のメンテナンスや清掃が容易に行える。
また、本実施形態に係る配管カバー１は、手洗器６０のボウル６１の形状を問わず使用することができる。更に、本実施形態に係る配管カバー１は、蓋部２０における配管７０の通過する位置の異なる複数種類の手洗器に対して、蓋部２０のみを交換することで、共通して用いることができる。従って、本実施形態に係る配管カバー１は、どのような手洗器に対しても用いることができる汎用性がある。
【００３４】
また、本実施形態では、板状の蓋部の両面を意匠面として構成した。
ところで、本実施形態における手洗器６０は、操作レバー６３ｂの配置の都合から、端部付近にガイド溝２２が形成された非対称な形状の蓋部２０を有する配管カバー１が用いられている。蓋部２０の両面は意匠面として構成されているので、このような手洗器６０に対して正面側から見て左右対称な構造を有する、例えば特注品の手洗器に、本実施形態に係る配管カバー１を、蓋部２０を裏返すことで適用することができる。つまり、互いに正面側から見て左右対称な構造である一対の手洗器に用いる配管カバー１（蓋部２０）を共通化することができ、配管カバー１の汎用性がより高くなる。また、仮に、左右対称な構造の蓋部であれば、両面が意匠面として構成されていることで、一方の面が汚染された場合に他方の面を上向きにして使用することが可能である。
【００３５】
また、本実施形態では、配管カバー１を、蓋部２０を載置するための上部取付金具水平面部３３，３３を備える上部取付金具３０を更に有するものとした。
これにより、上部取付金具水平面部３３，３３に蓋部２０を載置することができるので、蓋部２０の取り付け作業及び取り外し作業が容易になる。また、カバー本体１０を設置面に固定するための上部取付金具３０に蓋部２０も固定することができるので、配管カバー１の部品数を減らすことができる。
【００３６】
また、本実施形態では、手洗器ユニット１００が、手洗器６０と、手洗器６０の下部から間隔を空けて設置される配管カバー１と、を有するものとした。
これにより、配管カバー１の内部に配置される配管７０等の設備機器が視認されることを防止できる上に、これら設備機器のメンテナンスや清掃を容易に行える、手洗器６０及び配管カバー１を含む手洗器ユニット１００を提供できる。
【００３７】
なお、本発明は上記実施形態に限定されるものではなく、本発明の目的を達成できる範囲での変形、改良等は本発明に含まれる。
本実施形態においては、手洗器６０の下方に配置される設備機器として配管７０を挙げたが、設備機器として配管７０の他に電気温水器を手洗器６０の下方に配置して、配管カバー１によって覆ってもよい。これにより、配管７０とともに電気温水器が配管カバー１の外部から視認されるのを防ぐことができる。
【符号の説明】
【００３８】
１…配管カバー
１０…カバー本体
２０…蓋部
３０…上部取付金具（取付金具）
３３，３３…上部取付金具水平面部（水平面部）
６０…手洗器
７０…配管
【図１】
2015101918.tif 000003
【図２】
2015101918.tif 000004
【図３】
2015101918.tif 000005
【図４】
2015101918.tif 000006
【図５】
2015101918.tif 000007
【図６】
2015101918.tif 000008